(57)【要約】      （修正有）【課題】電源端子の位置が異なる携帯機器間で、電池パックを共用することができる携帯端末装置を提供する。【解決手段】電池パック２の一の面に、爪部３を設ける。また、当該一の面に、直方体形状の電池パック２における最も広い２つの面のうち、一方の面が第１の携帯機器に向かい合うように装着された場合と、他方の面が第１の携帯機器に向かい合うように装着された場合とで、第１の携帯機器に対する位置が異なるように電力供給端子４を設ける。第１の携帯機器の電池挿入部の壁に、電源端子を設ける。また、当該壁に、直方体形状の電池パック２における最も広い２つの面のうち、一方の面が第１の携帯機器に向かい合うように装着された場合に、電池パック２の爪部３に対向する位置に、溝部を設ける。【選択図】図１
2008108607.tif 000002
【特許請求の範囲】
【請求項１】
直方体形状の一の面に電力供給端子が設けられ、前記一の面に突出部が設けられ、直方体形状における最も広い２つの面のうち、一方の面が本体部に向かい合うように装着された場合と、他方の面が前記本体部に向かい合うように装着された場合とで、前記本体部に対する位置が異なるように前記電力供給端子が設けられた電池パックと、
前記電池パックが装着される凹状の電池挿入部の壁に、前記電池パックからの電力を受ける電源端子が設けられた本体部とを備え、
前記電源端子は、直方体形状の前記電池パックにおける最も広い２つの面のうち、一方の面が前記本体部に向かい合うように装着された場合に、前記電力供給端子に接触する位置に設けられ、
前記本体部には、直方体形状の前記電池パックにおける最も広い２つの面のうち、前記一方の面が前記本体部に向かい合うように装着された場合に、前記電池パックの前記突出部に対向する位置に、溝部が設けられている
ことを特徴とする携帯端末装置。
【請求項２】
電池パックにおける突出部の内部に、切欠部が形成され、
本体部において、直方体形状の前記電池パックにおける最も広い２つの面のうち、一方の面が電池挿入部に向かい合うように装着された場合に前記電池パックの前記突出部における前記切欠部に対向する位置に、リブが設けられている
請求項１記載の携帯端末装置。
【請求項３】
電池パックにおける一の面に複数の突出部が設けられ、
前記複数の突出部は、前記一の面の中心点に対して、非対称な位置に設けられている
請求項１記載の携帯端末装置。
【請求項４】
本体部における電池挿入部の長手方向の壁に、電源端子が設けられている
請求項１から請求項３のうちいずれか１項記載の携帯端末装置。
【請求項５】
本体部における電池挿入部の長手方向の壁に直交する壁に、電源端子が設けられている
請求項１から請求項３のうちいずれか１項記載の携帯端末装置。
【請求項６】
電池パックにおいて、直方体形状における最も広い２つの面の電力供給端子の近傍に、前記電力供給端子の位置を示す表示が設けられ、
本体部における電池挿入部を構成する筐体の電源端子の近傍に、前記電源端子の位置を示す表示が設けられている
請求項１から請求項５のうちいずれか１項記載の携帯端末装置。
【発明の詳細な説明】
【技術分野】
【０００１】
本発明は、他の携帯端末装置と電池パックを共用することができる携帯端末装置に関する。
【背景技術】
【０００２】
携帯電話機等の携帯端末装置は電池パックを内蔵している。一般に、電池パックの形状は、扁平な直方体である。そして、直方体における最も広い２つの平面のうちの一面が、携帯端末装置において凹状に形成されている電池挿入部の底面に接するように、電池パックが電池挿入部に装着される。
【０００３】
電池パックには、携帯端末装置に電力を供給する電力供給端子が設けられている。また、携帯端末装置の電池挿入部には、電池パックから電力を供給されるための電源端子が設けられている。そして、携帯端末装置の電源端子と電池パックの電力供給端子とは、携帯端末装置が電池パックを装着した状態で互いに接触する位置にそれぞれ設けられている。
【０００４】
特許文献１には、電池パックが正規の挿入方法に対して表裏逆に電池挿入部に挿入された場合に、当該電池パックが充電端子に接触することを防止する充電装置が記載されている。
【０００５】
特許文献２には、電池パックが、正規の挿入方法に対して表裏逆に電池挿入部に挿入されて装着されることを防止する携帯電話機が記載されている。
【０００６】
なお、表裏逆に挿入されるとは、電池パックが、直方体における最も広い２つの平面のうちの一方の面（表面）が正規の挿入方法で挿入された場合に接するべき電池挿入部における面に、他方の面（裏面）が接するように挿入されることをいう。
【０００７】
【特許文献１】特開平９−９８５４１号公報（段落０００８〜００１０、図１）
【特許文献２】特開２００５−１１５５５号公報（段落００１３〜００１９、図１）
【発明の開示】
【発明が解決しようとする課題】
【０００８】
携帯端末装置の電源端子の位置は、携帯端末装置の形状や、基板等の部品実装上の制限にもとづいて決定される。そして、携帯端末装置に装着される電池パックは、形状や、大きさ、装着された状態で電力供給端子が接触する携帯端末装置の電源端子の位置等が、携帯端末装置に対応していなければならない。
【０００９】
つまり、ある携帯端末装置に装着されている電池パックを他の携帯端末装置に装着させるためには、それら携帯端末装置において、電池パックを装着した状態で電力供給端子に接触する電源端子の位置が同一でなければならない。また、電力供給端子の位置が同一の電池パックを電源端子の位置が異なる携帯端末装置に装着して使用することはできない。
【００１０】
従って、同一の電池パックを電源端子の位置が異なる携帯端末装置に使用することはできないという問題がある。
【００１１】
そして、電源端子の位置が異なる携帯端末装置には、各携帯端末装置の電源端子の位置に対応する位置に電力供給端子が設けられた電池パックをそれぞれ新規に設計して生産する必要がある。しかし、電池パックの新規設計および生産には、費用や、人手、工数、時間等がかかるという問題がある。
【００１２】
そこで、本発明は、電源端子の位置が異なる携帯端末装置との間で電池パックを共用することができる携帯端末装置を提供することを目的とする。
【課題を解決するための手段】
【００１３】
本発明による携帯端末装置は、直方体形状の一の面に電力供給端子が設けられ、一の面に突出部が設けられ、直方体形状における最も広い２つの面のうち、一方の面が本体部に向かい合うように装着された場合と、他方の面が本体部に向かい合うように装着された場合とで、本体部に対する位置が異なるように電力供給端子が設けられた電池パックと、電池パックが装着される凹状の電池挿入部の壁に、電池パックからの電力を受ける電源端子が設けられた本体部とを備え、電源端子は、直方体形状の電池パックにおける最も広い２つの面のうち、一方の面が本体部に向かい合うように装着された場合に、電力供給端子に接触する位置に設けられ、本体部には、直方体形状の電池パックにおける最も広い２つの面のうち、一方の面が本体部に向かい合うように装着された場合に、電池パックの突出部に対向する位置に、溝部が設けられていることを特徴とする。
【００１４】
電池パックにおける突出部の内部に、切欠部が形成され、本体部において、直方体形状の電池パックにおける最も広い２つの面のうち、一方の面が電池挿入部に向かい合うように装着された場合に電池パックの突出部における切欠部に対向する位置に、リブが設けられていてもよい。
【００１５】
電池パックにおける一の面に複数の突出部が設けられ、複数の突出部は、一の面の中心点に対して、非対称な位置に設けられていてもよい。
【００１６】
本体部における電池挿入部の長手方向の壁に、電源端子が設けられていてもよい。
【００１７】
本体部における電池挿入部の長手方向の壁に直交する壁に、電源端子が設けられていてもよい。
【００１８】
電池パックにおいて、直方体形状における最も広い２つの面の電力供給端子の近傍に、電力供給端子の位置を示す表示が設けられ、本体部における電池挿入部を構成する筐体の電源端子の近傍に、電源端子の位置を示す表示が設けられていてもよい。
【発明の効果】
【００１９】
本発明によれば、設けられている電源端子の位置が異なる携帯端末装置間で、電池パックを共用することができる。
【００２０】
また、電池パックにおいて突出部の内部に切欠部が形成され、本体部において、直方体形状の電池パックにおける最も広い２つの面のうち、一方の面が電池挿入部に向かい合うように装着された場合に電池パックの突出部における切欠部に対向する位置に、リブが設けられている場合には、電池パックが誤った向きで装着されることを防ぐことができる。
【００２１】
また、電池パックにおいて、複数の突出部が、一の面の中心点に対して非対称な位置に設けられている場合には、電池パックが誤った向きで装着されることを防ぐことができる。
【００２２】
なお、本体部において、電池挿入部における長手方向の壁に、電源端子が設けられていてもよいし、電池挿入部における長手方向の壁に直交する壁に、電源端子が設けられていてもよいので、異なる壁に電源端子が設けられている携帯端末装置間で、電池パックを共用することができる。
【００２３】
電池パックにおいて、直方体形状における最も広い２つの面の電力供給端子の近傍に、電力供給端子の位置を示す表示が設けられ、本体部において、電池挿入部を構成する筐体の電源端子の近傍に、電源端子の位置を示す表示が設けられている場合には、ユーザ等に、電源端子が設けられている位置を示し、電池パックを装着する向きを示すことができる。
【発明を実施するための最良の形態】
【００２４】
本発明の実施の形態について、図面を参照して説明する。図１は、本発明による携帯端末装置の一例である携帯電話機の実施の形態における電池パック２を示す説明図である。
【００２５】
図１（ａ）は、電池パック２における最も広い２つの平面のうちの一面（Ａ面）を示す正面図である。図１（ｂ）は、電池パック２におけるＡ面に垂直な面であって、携帯端末装置に電力を供給する電力供給端子４が設けられている面（第１の側面）を示す側面図である。図１（ｃ）は、電池パック２におけるＡ面および第１の側面に垂直な面（第２の側面）を示す側面図である。図１（ｄ）は、電池パック２における最も広い２つの平面のうちの一面であって、Ａ面の裏面（Ｂ面）を示す背面図である。
【００２６】
図１（ａ）に示すように、電池パック２におけるＡ面には、Ａ面であることを示す表示欄９が設けられている。図１（ｄ）に示すように、電池パック２におけるＢ面には、Ｂ面であることを示す表示欄１０が設けられている。
【００２７】
図１（ｂ）に示すように、第１の側面において、他の側面に接する左右の端部に近い位置に、凸状部分である爪部（突出部）３がそれぞれ設けられている。そして、左右の爪部３の間であって、いずれかの爪部３に近い位置に電力供給端子４が設けられている。図１（ｂ）に示す例では、右側の爪部３に近い位置に電力供給端子４が設けられている。よって、Ａ面を上側にした場合には、電力供給端子４は第１の面の右側に位置し、Ｂ面を上側にした場合には、電力供給端子４は第１の面の左側に位置する。つまり、電力供給端子４は、Ａ面を上側にした場合と、Ｂ面を上側にした場合とで、位置が異なる。なお、電力供給端子４は、例えば、＋端子と−端子と電池パック２の温度を検出する温度検出端子とを含む。
【００２８】
図２は、電池パック２を示す斜視図である。図２（ａ）には、第１の側面において、他の側面に接する左右の端部に近い位置に、凸状部分である爪部３がそれぞれ設けられていることが示されている。図２（ｂ）は、第１の側面に設けられた爪部３の形状を示す斜視図である。
【００２９】
電池パック２に設けられている爪部３の内部には溝（切欠部）３１が形成されている。溝３１は、爪部３の内部を切り欠いたように形成されている。図２に示すように、爪部３の側面Ｃの形状は、中央部が広く、上部および下部に向かって窄まっていくような形状である。
【００３０】
図３は、本発明による携帯端末装置の第１の実施の形態の外観を示す外観図である。なお、携帯端末装置６が携帯電話機であるとして説明する。また、携帯端末装置６において、電池パック２を除く部分が本体部である。図３（ａ）に示すように、携帯端末装置６には、電池パック２を収納するための凹状の電池挿入部１４が設けられている。凹状の電池挿入部１４の壁（携帯端末装置６の長手方向に直交する面に形成されている壁）の部分において、電池パック２が電池挿入部１４に収納されたときに爪部３と対向する位置に、溝部７がそれぞれ設けられている。電池パック２が電池挿入部１４に収納されたときには、爪部３は溝部７に嵌り込む構造である。
【００３１】
また、凹状の電池挿入部１４の壁の部分において、電池パック２が電池挿入部１４に収納されたときに電力供給端子４と対向する位置に、電池パック２から電力を供給されるための電源端子５が設けられている。電力供給端子４は、電池パック２が電池挿入部１４に収納されたときには、電源端子５に接するように形成されている。
【００３２】
なお、溝部７の側面の形状は、爪部３の側面Ｃの形状とほぼ相似し、溝部７の側面の面積は側面Ｃの面積よりもやや大きい。
【００３３】
図３（ｂ）は、溝部７の形状を示す正面図である。図３（ｂ）に示すように、溝部７の中央下部にはリブ１２が設けられている。図３（ｂ）では、リブ１２は、斜線で示されている。リブ１２は、電池パック２が電池挿入部１４に収納されたときに、爪部３の内部に形成されている溝３１に嵌り込むように形成されている。なお、リブ１２は、爪部３が溝部７に嵌り込み易いように、下部から立ち上がり、中程に斜面（傾斜部）１３が設けられ、斜面（傾斜部）１３の上部が平坦になっているような形状であってもよい。
【００３４】
図４は、電池パック２が携帯端末装置６に装着される様子を示す説明図である。ユーザ等は、電池パック２を携帯端末装置６に装着する場合に、電池パック２のＡ面を上側にし、電池パック２における爪部３の位置と携帯端末装置６における溝部７の位置とを合わせるようにして、携帯端末装置６の電池挿入部１４に対して斜めに電池パック２を挿入し、爪部３を溝部７に係り止めする。さらに、電池パック２が後面から押されると、電池パック２の爪部３を有する面と電池挿入部１４の壁とが突き当たり、突き当たっている点を支点として、電池パック２は、電池パック２における最も広い平面と、電池挿入部１４における底面とのなす角度が小さくなるように回転運動を行う。
【００３５】
なお、リブ１２の中程に斜面１３が形成されている場合には、リブ１２の斜面１３がガイドの役割を果たし、爪部３におけるリブ１２と接する部分（溝３１）が斜面１３に沿って滑らかに上っていき、結局、電池パック２の爪部３が滑らかに携帯端末装置６における溝部７に嵌り込む。また、爪部３における溝３１の上部は、リブ１２の斜面１３によって誘導される係合部の役割を果たす。
【００３６】
図５は、電池パック２が携帯端末装置６に装着された状態を示す説明図である。図５（ａ）に示すように、電池パック２は携帯端末装置６に装着される。図５（ｂ）には、溝３１を切るように切断された断面（図５（ａ）に示す例では、切断線Ｓ１で切断された断面）が示されている。図５（ｃ）は、溝３１を切るように切断された断面であって、爪部３の近傍（図５（ｂ）において、円で囲んで示す部分）を示す断面図である。
【００３７】
図５（ｃ）に示すように、爪部３は溝部７に嵌り込み、爪部３における溝３１にリブ１２が嵌り込んでいる。
【００３８】
また、ユーザ等が、表裏逆に電池パック２を携帯端末装置６に装着しようとすると（すなわち、Ａ面を下側にして（Ｂ面を上側にして）電池パック２を携帯端末装置６に装着しようとすると）、爪部３における切り欠かれていない部分がリブ１２に当たる。爪部３の幅（電池パック２を形成する直方体から突出した部分の高さ）は、表裏逆に電池パック２を携帯端末装置６の電池挿入部１４に挿入しようとしたときに、電池パック２が電池挿入部１４の壁（溝部７が設けられている壁とは反対側の壁）から電池挿入部１４に落ち込むことを阻止できるような長さである。すなわち、電池パック２の爪部３の高さは、表裏逆に電池パック２を電池挿入部１４に挿入する場合に、爪部３における係合部が電池挿入部１４におけるリブ１２に当接したときに電池パック２が電池挿入部１４に嵌り込まないような高さに設定されている。
【００３９】
よって、爪部３がリブ１２に当たることによって、電池パック２の長手方向の長さが電池挿入部１４の長手方向の長さよりも相対的に長くなるので、電池パック２と電池挿入部１４とが干渉し、電池パック２は、電池挿入部１４に嵌り込まず、浮いた状態になる。なお、相対的に長くなるというのは、電池パック２の直方体部分の長手方向の長さと爪部３の幅との和を、電池挿入部１４の長手方向の長さと比較した場合のことである。
【００４０】
従って、正規の向きで電池パック２を携帯端末装置６に装着する場合には、電池パック２は、円滑に電池挿入部１４に装着される。また、表裏逆にして電池パック２を携帯端末装置６に装着しようとしても、爪部３がリブ１２に当たって、電池パック２は電池挿入部１４に嵌り込まない。
【００４１】
図６は、本発明による携帯端末装置の第２の実施の形態の外観を示す外観図である。なお、携帯端末装置１６が携帯電話機であるとして説明する。図６（ａ）に示すように、携帯端末装置１６には、電池パック２を収納するための凹状の電池挿入部１４が設けられている。凹状の電池挿入部１４の壁（携帯端末装置１６の長手方向の面に形成されている壁）の部分において、電池パック２が電池挿入部１４に収納されたときに爪部３と対向する位置に、溝部１７がそれぞれ設けられている。電池パック２が電池挿入部１４に収納されたときには、爪部３は溝部１７に嵌り込む構造である。
【００４２】
また、凹状の電池挿入部１４の壁の部分において、電池パック２が電池挿入部１４に収納されたときに電力供給端子４と対向する位置に、電池パック２から電力を供給されるための電源端子１５が設けられている。電力供給端子４は、電池パック２が電池挿入部１４に収納されたときには、電源端子１５に接するように形成されている。
【００４３】
図３に示すように、携帯端末装置６において、溝部７および電源端子５は電池挿入部１４における携帯端末装置６の長手方向に直交する面に形成されている壁に設けられている。それに対して、携帯端末装置１６は、図６に示すように、溝部１７および電源端子１５は電池挿入部１４における携帯端末装置１６の長手方向の面に形成されている壁に設けられている。
【００４４】
図６（ｂ）は、溝部１７の形状を示す正面図である。図６（ｂ）に示すように、溝部１７の中央上部にはリブ２２が設けられている。図６（ｂ）では、リブ２２は斜線で示されている。リブ２２は、電池パック２が電池挿入部１４に収納されたときに、爪部３の内部に形成されている溝３１に嵌り込むように形成されている。なお、リブ２２は、爪部３が溝部１７に嵌り込み易いように、上部から立ち下がり、中程に斜面（傾斜部）が設けられ、斜面（傾斜部）の下部が平坦になっているような形状であってもよい。なお、溝部１７の側面の形状は、爪部３の側面Ｃの形状とほぼ相似し、溝部１７の側面の面積は側面Ｃの面積よりもやや大きい。
【００４５】
図７は、電池パック２が携帯端末装置１６に装着される様子を示す説明図である。ここで、図３および図６に示すように、携帯端末装置６における溝部７および電源端子５が設けられている面と、携帯端末装置１６における溝部１７および電源端子１５が設けられている面とは異なる。また、携帯端末装置６の電源端子５が設けられている面において電源端子５は左側の溝部７に近い位置に設けられているのに対して、携帯端末装置１６の電源端子１５が設けられている面において電源端子１５は右側の溝部１７に近い位置に設けられている。また、携帯端末装置６のリブ１２は、溝部７の中央下部に設けられているのに対して、携帯端末装置１６のリブ２２は、溝部１７の中央上部に設けられている。
【００４６】
そのため、ユーザ等は、電池パック２を携帯端末装置１６に装着する場合に、電池パック２を携帯端末装置６に装着する場合に対して、電池パック２を表裏逆にし（Ｂ面を上側にし）、さらに携帯端末装置１６の電池挿入部１４における底面に平行な平面上で時計回りと反対の方向に９０度回転させる。
【００４７】
そして、ユーザ等は、電池パック２における爪部３の位置と携帯端末装置１６における溝部１７の位置とを合わせるようにして、携帯端末装置１６の電池挿入部１４に対して斜めに電池パック２を挿入し、爪部３を溝部１７に係り止めする。
【００４８】
さらに、電池パック２が後面から押されると、電池パック２の爪部３を有する面と電池挿入部１４の壁とが突き当たり、突き当たっている点を支点として、電池パック２は、電池パック２における最も広い２つの平面と、電池挿入部１４における底面とのなす角度が小さくなるように回転運動を行う。
【００４９】
なお、リブ２２の中程に斜面が形成されている場合には、リブ２２の斜面がガイドの役割を果たし、爪部３におけるリブ２２と接する部分が斜面に沿って滑らかに下がっていき、結局、電池パック２の爪部３が滑らかに携帯端末装置１６における溝部１７に嵌り込む。また、爪部３における溝３１の下部は、リブ２２の斜面によって誘導される係合部の役割を果たす。
【００５０】
図８は、電池パック２が携帯端末装置１６に装着された状態を示す説明図である。図８（ａ）に示すように、電池パック２は携帯端末装置１６に装着される。図８（ｂ）には、溝３１を切るように切断された断面（図８（ａ）に示す例では、切断線Ｓ２で切断された断面）が示されている。なお、図８（ｂ）に示す例において、左側が電池パック２のＡ面側であり、右側がＢ面側である。図８（ｃ）は、溝３１を切るように切断された断面であって、爪部３の近傍（図８（ｂ）において、円で囲んで示す部分）を示す断面図である。なお、図８（ｃ）に示す例において、左側が電池パック２のＡ面側であり、右側がＢ面側である。
【００５１】
図８（ｃ）に示すように、爪部３は溝部１７に嵌り込み、爪部３における溝３１にリブ２２が嵌り込んでいる。
【００５２】
また、ユーザ等が、表裏逆に電池パック２を携帯端末装置１６に装着しようとすると（すなわち、Ｂ面を下側にして（Ａ面を上側にして）電池パック２を携帯端末装置１６に装着しようとすると）、爪部３における切り欠かれていない部分がリブ２２に当たる。爪部３の幅（電池パック２を形成する直方体から突出した部分の高さ）は、表裏逆に電池パック２を携帯端末装置１６の電池挿入部１４に挿入しようとしたときに、電池パック２が電池挿入部１４の壁（溝部１７が設けられている壁とは反対側の壁）から電池挿入部１４に落ち込むことを阻止できるような長さである。すなわち、電池パック２の爪部３の高さは、表裏逆に電池パック２を電池挿入部１４に挿入する場合に、爪部３における係合部が電池挿入部１４におけるリブ２２に当接したときに電池パック２が電池挿入部１４に嵌り込まないような高さに設定されている。
【００５３】
よって、爪部３がリブ２２に当たることによって、電池パック２の長手方向の長さが電池挿入部１４の長手方向の長さよりも相対的に長くなるので、電池パック２と電池挿入部１４とが干渉し、電池パック２は、電池挿入部１４に嵌り込まず、浮いた状態になる。なお、相対的に長くなるというのは、電池パック２の直方体部分の長手方向の長さと爪部３の幅との和を、電池挿入部１４の長手方向の長さと比較した場合のことである。
【００５４】
従って、正規の向きで電池パック２を携帯端末装置１６に装着する場合には、電池パック２は、円滑に電池挿入部１４に装着される。また、表裏逆にして電池パック２を携帯端末装置１６に装着しようとしても、爪部３がリブ２２に当たって、電池パック２は電池挿入部１４に嵌り込まない。
【００５５】
この実施の形態では、電池パック２を、それぞれ電源端子の位置が異なる携帯端末装置６と携帯端末装置１６とに装着することができる。つまり、電池パック２をそれぞれ電源端子の位置が異なる携帯端末装置に共用して使用することができる。
【００５６】
具体的には、例えば、電源端子が長手方向に向かって左側に設けられている携帯端末装置には、Ａ面を上側にして電池パック２を装着し、電源端子が長手方向に向かって右側に設けられている携帯端末装置には、Ｂ面を上側にして電池パック２を装着することができる。つまり、電池パック２を、電源端子が長手方向に向かって左側に設けられている携帯端末装置と、電源端子が長手方向に向かって右側に設けられている携帯端末装置とで共用することができる。
【００５７】
従って、例えば、電源端子が長手方向に向かって左側に設けられている携帯端末装置に装着するための既存の電池パックを、電源端子が長手方向に向かって右側に設けられている携帯端末装置に流用することができるので、電源端子が長手方向に向かって右側に設けられている携帯端末装置に装着するための電池パックを新規に設計して生産する必要がなくなる。そのため、電池パックの新規設計に必要とされる費用や、人手、工数、時間等を削減することができる。
【００５８】
なお、図９（ａ）および図９（ｂ）に丸印で示すように、電池パック２のＡ面およびＢ面における電力供給端子４の位置に対応する位置に、電力供給端子４が設けられている位置を示す表示を設け、各携帯端末装置における電源端子の位置に対応する位置に、電源端子が設けられている位置を示す表示を設けてもよい。そのように表示されている場合には、ユーザ等に、電源端子が設けられている位置を示し、電池パック２を装着する向きを示すことができる。
【００５９】
また、電池パック２に設けられている爪部に、切り欠き（溝３１）が形成されていなくてもよい。図１０は、切り欠きが形成されていない爪部２３が設けられた電池パックを示す説明図である。図１０に示す例では、爪部２３は、電池パック２の電力供給端子４が設けられている面（第１の側面）における他の側面に接する左右の端部に近い位置にそれぞれ設けられている。そして、右側の爪部２３は、第１の側面におけるＡ面に接する端部に近い位置に設けられ、左側の爪部２３は、第１の側面におけるＡ面に接する端部とＢ面に接する端部との中央付近に設けられている。
【００６０】
そして、携帯端末装置には、設けられている電源端子の位置にもとづいて、電池パックをＡ面を上側にして装着するのか、またはＢ面を上側にして装着するのかに応じて定められる位置であって、電池パックを装着する場合に各爪部２３に対向する位置に、爪部２３を収容する溝が設けられている。
【００６１】
なお、右側の爪部２３と左側の爪部２３とが設けられる位置は、図１０に示す位置に限定されるものではなく、第１の側面の中心点に対して互いに非対称になる位置であればよい。
【００６２】
電池パックにそのような爪部２３が設けられ、携帯端末装置において爪部２３に対応する位置に溝が設けられるように構成された場合には、電池パックを、それぞれ電源端子の位置が異なる携帯端末装置に装着することができる。従って、電池パックをそれぞれ電源端子の位置が異なる携帯端末装置に共用して使用することができる。
【００６３】
また、右側の爪部２３と左側の爪部２３とが、第１の側面の中心点に対して互いに非対称になる位置に設けられているので、電池パックを表裏逆にして携帯端末装置に装着しようとしても、爪部２３が携帯端末装置に設けられた電池挿入部１４の壁に当たるので、電池パックが携帯端末装置に嵌り込むことを防ぐことができる。
【００６４】
なお、図１０に示すように、電池パックに、水で濡れたことを検出する水濡れ検出シール２０が貼付されていてもよい。また、図１０に示すように、爪部２３の内部に穴が形成されていてもよい。
【００６５】
なお、携帯端末装置６および携帯端末装置１６として携帯電話機を例示したが、携帯端末装置は、ＰＨＳ（Ｐｅｒｓｏｎａｌ  Ｈａｎｄｙ−ｐｈｏｎｅ  Ｓｙｓｔｅｍ）端末や、ＰＤＡ（Ｐｅｒｓｏｎａｌ  Ｄｉｇｉｔａｌ  Ａｓｓｉｓｔａｎｔｓ）、携帯型オーディオ機器等の電池パックを用いる他の携帯端末装置であってもよい。
【産業上の利用可能性】
【００６６】
本発明を、ＰＨＳ端末や、ＰＤＡ、携帯型オーディオ機器等の電池パックを用いる携帯端末装置に適用することができる。
【図面の簡単な説明】
【００６７】
【図１】本発明による携帯端末装置における電池パックを示す説明図である。
【図２】電池パックを示す斜視図である。
【図３】本発明による携帯端末装置の第１の実施の形態の外観を示す外観図である。
【図４】電池パックが第１の実施の形態の携帯端末装置に装着される様子を示す説明図である。
【図５】電池パックが第１の実施の形態の携帯端末装置に装着された状態を示す説明図である。
【図６】本発明による携帯端末装置の第２の実施の形態の外観を示す外観図である。
【図７】電池パックが第２の実施の形態の携帯端末装置に装着される様子を示す説明図である。
【図８】電池パックが第２の実施の形態の携帯端末装置に装着された状態を示す説明図である。
【図９】電池パックおよび携帯端末装置にそれぞれ端子の位置の表示を設けた場合を示す説明図である。
【図１０】切り欠きが形成されていない爪部が設けられた電池パックを示す説明図である。
【符号の説明】
【００６８】
２  電池パック
３、１３  爪部
４  電力供給端子
５、１５  電源端子
７、１７  溝部
６、１６  携帯端末装置
９、１０  表示欄
１２、２２  リブ
１３  斜面
１４  電池挿入部
２０  水濡れ検出シール
３１  溝
【図１】
2008108607.tif 000003
【図２】
2008108607.tif 000004
【図３】
2008108607.tif 000005
【図４】
2008108607.tif 000006
【図５】
2008108607.tif 000007
【図６】
2008108607.tif 000008
【図７】
2008108607.tif 000009
【図８】
2008108607.tif 000010
【図９】
2008108607.tif 000011
【図１０】
2008108607.tif 000012